(57)【要約】  ディスクカートリッジを提供する。光ディスクが収納される空間部が形成されている下部ケース部材と、下部ケース部材と結合されるように設置されて、光ディスクに再生及び記録装置がアクセスできる開口部が設けられている上部ケース部材と、下部ケース部材に摺動自在に設置されて、ディスクカートリッジがディスクドライブ装置に挿入される方向と逆方向に移動して、互いに重なりつつ開口部を露出させる多重シャッター部材と、下部ケースに設置されて、多重シャッター部材が任意に動けないように多重シャッター部材を固定させるロッキング部材とを備えるディスクカートリッジである。
2007520838.tif 000002
【特許請求の範囲】
【請求項１】
情報記録媒体である光ディスクが収納される空間部が形成されている下部ケース部材と、
前記下部ケース部材と結合されるように設置されて、前記光ディスクに再生及び記録装置がアクセスできる開口部が設けられている上部ケース部材と、
前記下部ケース部材に摺動自在に設置されて、ディスクカートリッジがディスクドライブ装置に挿入される方向と逆方向に移動して、互いに重なりつつ前記開口部を露出させる多重シャッター部材と、
前記下部ケースに設置されて、前記多重シャッター部材が任意に動かないように前記多重シャッター部材を固定させるロッキング部材と、を備えることを特徴とするディスクカートリッジ。
【請求項２】
前記多重シャッター部材は、少なくとも２つ以上から構成されており、前記ディスクカートリッジが前記ディスクドライブ装置に挿入される方向に対して第一に位置する第１シャッターには、その運動を拘束するための突出部が設けられており、前記第１シャッターが重なる第２シャッターには、前記突出部が挿入される挿入溝部が形成されていることを特徴とする請求項１に記載のディスクカートリッジ。
【請求項３】
前記第１シャッターには、前記ディスクカートリッジが前記ディスクドライブ装置から抽出される時、前記挿入溝部を塞いで、ホコリが前記光ディスクに付くことを防止するための遮蔽部が形成されていることを特徴とする請求項２に記載のディスクカートリッジ。
【請求項４】
前記突出部、遮蔽部、挿入溝部は、一直線上に位置していることを特徴とする請求項３に記載のディスクカートリッジ。
【請求項５】
前記ロッキング部材は、
前記下部ケース部材に形成されているロッカー溝に摺動自在に設置されて、前記ディスクドライブ装置に設置されたロッキング解除部と選択的に接触するプッシュ部、及び前記第１シャッターに設けられた第１ロッキング溝を干渉する第１シャッター係合部から形成されたロッカーと、
前記ロッカーに本体部が接触するように設置されて、その一側は、前記下部ケース部材に固定されており、その他側には、前記第２シャッターに設けられた第２ロッキング溝を干渉する第２シャッター係合部が設けられている板バネと、を備えることを特徴とする請求項１に記載のディスクカートリッジ。
【請求項６】
前記下部ケース部材に設置されて、前記ディスクカートリッジが前記ディスクドライブ装置から抽出される時、前記二重シャッターを復元させるための弾性力を提供する複数の弾性部材をさらに備えることを特徴とする請求項１に記載のディスクカートリッジ。
【請求項７】
前記弾性部材は、その一端が前記下部ケース部材に支持されており、その他端は、前記第２シャッターに支持されており、前記ディスクカートリッジが前記ディスクドライブ装置に挿入される時、前記第２シャッターによって圧縮されつつ、コイル状に形成された本体は、前記下部ケース部材に形成されている移送ガイド溝に沿って摺動されることを特徴とする請求項６に記載のディスクカートリッジ。
【請求項８】
前記下部ケース部材には、前記弾性部材の一端部が動作を妨害しないように陥没されて形成された移送案内部がさらに設けられていることを特徴とする請求項７に記載のディスクカートリッジ。
【請求項９】
前記下部ケース部材には、再生及び記録装置がアクセスできるように陥没されて形成されたアクセス部がさらに設けられていることを特徴とする請求項１に記載のディスクカートリッジ。
【請求項１０】
前記ディスクドライブ装置に挿入される方向の形状は、ラウンド状に設けられていることを特徴とする請求項１に記載のディスクカートリッジ。
【請求項１１】
情報記録媒体の光ディスクが収納される空間部、及び前記光ディスクに再生及び記録装置がアクセスできる開口部が形成されている下部ケース部材と、
前記下部ケース部材と結合されるように設置されて、前記光ディスクに再生及び記録装置がアクセスできる開口部が設けられている上部ケース部材と、
前記上部ケース部材及び下部ケース部材を取り囲んで摺動自在に設置されて、前記ディスクカートリッジがディスクドライブ装置に挿入される方向と逆方向に移動して、互いに重なりつつ前記開口部を露出させる多重シャッター部材と、
前記下部ケース部材に摺動自在に設置されて、前記多重シャッター部材が任意に動けないように前記多重シャッター部材を固定させるロッキング部材と、を備えることを特徴とするディスクカートリッジ。
【請求項１２】
前記多重シャッター部材は、少なくとも２つ以上から構成されており、前記ディスクカートリッジが前記ディスクドライブ装置に挿入される方向に対して第一に位置する第１シャッターの上面及び下面には、対称にその運動を拘束するための突出部がそれぞれ設けられており、前記第１シャッターが重なる第２シャッターの上面及び下面には、対称に前記突出部が挿入される挿入溝部がそれぞれ形成されていることを特徴とする請求項１１に記載のディスクカートリッジ。
【請求項１３】
前記第１シャッターの上面及び下面には、前記ディスクカートリッジが前記ディスクドライブ装置から抽出される時、前記挿入溝部を塞いで、ホコリが前記光ディスクに付くことを防止するための遮蔽部がそれぞれ形成されていることを特徴とする請求項１２に記載のディスクカートリッジ。
【請求項１４】
前記突出部、遮蔽部、挿入溝部は、一直線上に位置していることを特徴とする請求項１３に記載のディスクカートリッジ。
【請求項１５】
前記ロッキング部材は、
前記下部ケース部材に形成されているロッカー溝に摺動自在に設置されて、前記ディスクドライブ装置に設置されたロッキング解除部と選択的に接触するプッシュ部、及び前記第１シャッターに設けられた第１ロッキング溝を干渉する第１シャッター係合部から形成されたロッカーと、
前記ロッカーに本体部が接触するように設置されて、その一側は、前記下部ケース部材に固定されており、その他側には、前記第２シャッターに設けられた第２ロッキング溝を干渉する第２シャッター係合部が設けられている板バネと、を備えることを特徴とする請求項１１に記載のディスクカートリッジ。
【請求項１６】
前記下部ケース部材に設置されて、前記ディスクカートリッジが前記ディスクドライブ装置から抽出される時、前記二重シャッターを復元させるための弾性力を提供する複数の弾性部材をさらに備えることを特徴とする請求項１１に記載のディスクカートリッジ。
【請求項１７】
前記弾性部材は、その一端が前記下部ケース部材に支持されており、その他端は、前記第２シャッターに支持されており、前記ディスクカートリッジが前記ディスクドライブ装置に挿入される時、前記第２シャッターによって圧縮されつつコイル状に形成された本体は、前記下部ケース部材に形成されている移送ガイド溝に沿って摺動されることを特徴とする請求項１６に記載のディスクカートリッジ。
【請求項１８】
前記下部ケース部材には、前記弾性部材の一端部が動作を妨害しないように陥没されて形成された移送案内部がさらに設けられていることを特徴とする請求項１７に記載のディスクカートリッジ。
【請求項１９】
前記下部ケース部材には、再生及び記録装置がアクセスできるように陥没されて形成されたアクセス部がさらに設けられていることを特徴とする請求項１１に記載のディスクカートリッジ。
【請求項２０】
前記ディスクドライブ装置に挿入される方向の形状は、ラウンド状に設けられていることを特徴とする請求項１１に記載のディスクカートリッジ。
【請求項２１】
摺動キャリッジ光ピックアップ及びスイングアーム光ピックアップを光ディスクに適用できるディスクドライブ収容する空間部を備える下部ケース部材と、
前記光ディスクに光アクセス可能に開口部を備え、前記下部ケース部材と結合される上部ケース部材と、
シャッターのうち、何れか一つが動いてシャッターが重なる時、前記開口部が選択的に露出されるように、前記下部ケース部材に摺動自在に結合される第１シャッター及び第２シャッターと、
前記第１シャッター及び第２シャッターを前記下部ケース部材に固定させて、任意に動けないようにするロッキング部材と、を備えることを特徴とするディスクカートリッジ。
【請求項２２】
動く方向に対して前記第１シャッターの前面部には、前記第１シャッターの動きを拘束する突出部と、
前記突出部が挿入されて、前記第２シャッターが前記第１シャッターによって重なるように、前記第２シャッターに挿入溝部をさらに備えることを特徴とする請求項２１に記載のディスクカートリッジ。
【請求項２３】
前記ディスクカートリッジが前記ディスクドライブから抽出される時、前記光ディスクがホコリによって汚染されることを防止するために、前記挿入溝部を塞ぐように前記第１シャッターに遮蔽部をさらに備えることを特徴とする請求項２２に記載のディスクカートリッジ。
【請求項２４】
前記突出部、前記遮蔽部及び前記挿入溝部は、一直線上に位置することを特徴とする請求項２３に記載のディスクカートリッジ。
【請求項２５】
前記ロッキング部材は、
前記下部ケース部材のロッカー溝に摺動できるように設置されて前記ディスクドライブのロッキング解除部と選択的に接触するプッシュ部を備えるロッカーを含むことを特徴とする請求項２１に記載のディスクカートリッジ。
【請求項２６】
前記ロッキング部材は、
前記第１シャッターの第１ロッキング溝と結合される第１シャッター係合部をさらに備えることを特徴とする請求項２５に記載のディスクカートリッジ。
【請求項２７】
前記ロッキング部材は、
その本体部が前記ロッカーと接触するように設置され、その一側は、前記下部ケース部材に固定されており、その他側には、前記第２シャッターに設けられた第２ロッキング溝を干渉する第２シャッター係合部が設けられている板バネをさらに備えることを特徴とする請求項２６に記載のディスクカートリッジ。
【請求項２８】
前記ディスクカートリッジは、
前記ディスクカートリッジが前記ディスクドライブから抽出される時、前記第１シャッター及び第２シャッターを原位置に復元させる弾性力を前記第１シャッター及び第２シャッターに提供するように、前記下部ケース部材に設けられた複数の弾性部材をさらに備えることを特徴とする請求項２１に記載のディスクカートリッジ。
【請求項２９】
前記弾性部材のそれぞれは、
一端は、前記下部ケース部材に支持されており、他端は、前記第２シャッター部材に支持されている両端と、
前記弾性部材に復元力を提供するコイル状の本体と、を備えることを特徴とする請求項２８に記載のディスクカートリッジ。
【請求項３０】
前記ディスクカートリッジが前記ディスクドライブに挿入される時、前記弾性部材が前記第２シャッターによって圧縮されつつ前記コイル状の本体が摺動されるように、前記下部ケース部材にガイド溝を備えることを特徴とする請求項２９に記載のディスクカートリッジ。
【請求項３１】
前記ディスクカートリッジは、
前記弾性部材の両端のうち、何れか一端の動きが便利であるように、前記下部ケース部材に陥没されて設けられた移送ガイド部をさらに備えることを特徴とする請求項２１に記載のディスクカートリッジ。
【請求項３２】
前記ディスクカートリッジは、
装置が前記光ディスクにアクセスできるように、前記下部ケース部材に陥没されて設けられたアクセス部をさらに備えることを特徴とする請求項２１に記載のディスクカートリッジ。
【請求項３３】
前記ディスクカートリッジの前面部は、ラウンド状を有することを特徴とする請求項２１に記載のディスクカートリッジ。
【請求項３４】
摺動キャリッジ光ピックアップ及びスイングアーム光ピックアップを光ディスクに適用できるディスクドライブのディスクカートリッジにおいて、
挿入方向から光ディスクを収容する空間部、及び前記光ディスクに光アクセス可能に第１開口部を備える下部ケース部材と、
前記光ディスクに光アクセス可能に第２開口部を備え、前記下部ケース部材と結合される上部ケース部材と、
シャッターのうち、何れか一つが動いてシャッターが重なる時、前記第１開口部及び第２開口部が選択的に露出されるように、前記下部及び上部ケース部材に摺動自在に結合される第１シャッター及び第２シャッターと、
前記第１シャッター及び第２シャッターを前記下部ケース部材に固定させて、任意に動けないようにするロッキング部材と、を備えることを特徴とするディスクカートリッジ。
【請求項３５】
動く方向に対して前記第１シャッターの前面部の上面及び下面には、前記第１シャッターの動きを拘束する複数の突出部と、
前記複数の突出部が挿入されて、前記第２シャッターが前記第１シャッターによって重なるように、前記第２シャッターに複数の挿入溝部と、をさらに備えることを特徴とする請求項３４に記載のディスクカートリッジ。
【請求項３６】
前記ディスクカートリッジが前記ディスクドライブから抽出される時、前記光ディスクがホコリによって汚染されることを防止するために、前記複数の挿入溝部を塞ぐように、前記第１シャッターの上面及び下面に形成されている複数の遮蔽部をさらに備えることを特徴とする請求項３５に記載のディスクカートリッジ。
【請求項３７】
前記複数の突出部と、複数の遮蔽部と、前記第１シャッター及び第２シャッターの上面及び下面に複数の挿入溝部とは、それぞれ一直線上に位置されていることを特徴とする請求項１３に記載のディスクカートリッジ。
【請求項３８】
前記ロッキング部材は、
前記下部ケース部材のロッカー溝に摺動できるように設置されて、前記ディスクドライブのロッキング解除部と選択的に接触するプッシュ部を有するロッカーを備えることを特徴とする請求項３４に記載のディスクカートリッジ。
【請求項３９】
前記ロッキング部材は、
前記第１シャッターの第１ロッキング溝と結合される第１シャッター係合部をさらに備えることを特徴とする請求項３８に記載のディスクカートリッジ。
【請求項４０】
前記ロッキング部材は、
その本体部が前記ロッカーと接触するように設置され、その一側は、前記下部ケース部材に固定されており、その他側には、前記第２シャッターに設けられた第２ロッキング溝を干渉する第２シャッター係合部が設けられている板バネをさらに備えることを特徴とする請求項３９に記載のディスクカートリッジ。
【請求項４１】
前記ディスクカートリッジは、
前記ディスクカートリッジが前記ディスクドライブから抽出される時、前記第１シャッター及び第２シャッターを原位置に復元させる弾性力を前記第１シャッター及び第２シャッターに提供するように、前記下部ケース部材に設けられた複数の弾性部材をさらに備えることを特徴とする請求項３４に記載のディスクカートリッジ。
【請求項４２】
前記弾性部材のそれぞれは、
一端は、前記下部ケース部材に支持されており、他端は、前記第２シャッター部材に支持されている両端と、
前記弾性部材に復元力を提供するコイル状の本体と、を備えることを特徴とする請求項４１に記載のディスクカートリッジ。
【請求項４３】
前記ディスクカートリッジが前記ディスクドライブに挿入される時、前記弾性部材が前記第２シャッターによって圧縮されつつ前記コイル状の本体が摺動されるように、前記下部ケース部材にガイド溝を備えることを特徴とする請求項４２に記載のディスクカートリッジ。
【請求項４４】
前記ディスクカートリッジは、
前記弾性部材の両端のうち、何れか一端の動きが便利であるように、前記下部ケース部材に陥没されて設けられた移送ガイド部をさらに備えることを特徴とする請求項４３に記載のディスクカートリッジ。
【請求項４５】
前記ディスクカートリッジは、
装置が前記光ディスクにアクセスできるように、前記下部ケース部材に陥没されて設けられたアクセス部をさらに備えることを特徴とする請求項３４に記載のディスクカートリッジ。
【請求項４６】
前記ディスクカートリッジの前面部は、ラウンド状を有することを特徴とする請求項３４に記載のディスクカートリッジ。
【請求項４７】
前記ディスクカートリッジが前記ディスクドライブに挿入される時、前記複数の突出部は、前記第１開口部及び第２開口部が露出されうる開口ほど、前記第１シャッターが動くように許容することを特徴とする請求項３５に記載のディスクカートリッジ。
【請求項４８】
前記第１シャッターが前記第２シャッターと重なる時、前記複数の突出部は、前記複数の挿入溝部に挿入されることを特徴とする請求項４７に記載のディスクカートリッジ。
【発明の詳細な説明】
【技術分野】
【０００１】
本発明は、情報記録再生媒体である光ディスクを収納するディスクカートリッジに関する。
【背景技術】
【０００２】
一般的に、ディスクカートリッジは、情報記録再生媒体である光ディスクを収納して、ディスクドライブ装置に装着されるものであって、従来のディスクカートリッジの一例が図１に示されている。
【０００３】
図１に示すように、ディスクカートリッジ１０１は、上部ケース１１１と下部ケース１１２とが結合されて本体１０６を構成する。上部ケース１１１と下部ケース１１２との結合によって形成される内部空間には、情報記録再生媒体である光ディスク１０５が収納されている。本体１０６には、光ディスク１０５を外部に露出させるための開口部１１５及び開口ホール１１７が形成されている。開口部１１５は、ディスクカートリッジ１０１がディスクドライブ（図示せず）装置に挿入された時、再生及び記録装置（図示せず）が光ディスク１０５にアクセスするための空間であり、開口ホール１１７は、光ディスク１０５を回転させるためのスピンドルモーター（図示せず）に載置する部分である。
【０００４】
本体１０６に摺動自在に設置されて、開口部１１５及び開口ホール１１７を外部に露出させるか、または隠すようにシャッター１２０が設置されている。
【０００５】
前記のような構成によれば、ディスクカートリッジ１０１がディスクドライブ装置（図示せず）に挿入される時、シャッター１２０がディスクカートリッジ１０１の挿入方向に対して垂直方向に摺動されて開きながら、開口部１１５及び開口ホール１１７が開放される。ディスクカートリッジ１０１が完全に挿入された後には、スピンドルモーター（図示せず）が開口ホール１１７にアクセスされて、光ディスク１０５がスピンドルモーター（図示せず）に載置される。そして、再生及び記録装置（図示せず）が開口部１１５にアクセスして光ディスク１０５の半径方向に往復移動しつつ、光ディスク１０５に／から情報を記録／再生する。
【０００６】
光ディスクに／から情報を記録／再生する記録及び再生装置は、光ピックアップ方式またはスイングアーム方式が採用できる。
【０００７】
光ピックアップを利用する方式は、光ディスクの半径方向に光ピックアップが直線往復運動しつつ情報を記録及び再生する作業を行うため、開口ホールの幅は狭くても、半径方向の長さは、光ピックアップがアクセスして直線往復できるように、十分な長さを有する必要がある。
【０００８】
しかし、スイングアームを利用する方式は、スイングアームが所定回動軸を中心に円弧軌跡を描いて回動しつつ、光ディスクにアクセスして記録及び再生作業を行うため、開口ホールが半径方向だけでなく幅方向にもスイングアームがアクセスできるように開放されねばならない。
【０００９】
すなわち、開口ホールの面積は、スイングアームを利用する方式が光ピックアップを利用する方式に比べて広く形成される必要がある。
【００１０】
現在には技術が発達して装置が多様になり、また複雑となっているが、いかなる装置でも他の多様な装置に使用できる互換性が強調されている。したがって、光ディスクも光ピックアップを利用して再生するか、またはスイングアーム方式を利用して再生できる互換性が必要である。
【００１１】
ところが、図１に示す従来のディスクカートリッジは、光ピックアップのみが光ディスクにアクセスして再生及び記録作業が行われるようになっているため、スイングアーム方式を利用して光ディスクを再生及び記録作業ができず、互換が不可能であるという問題がある。
【発明の開示】
【発明が解決しようとする課題】
【００１２】
本発明に係るディスクカートリッジは、次のような効果がある。
【００１３】
第一に、広い開口部が形成されており、種類に関係なく再生及び記録装置がアクセスできる。
【００１４】
第二に、ディスクカートリッジを外部に引き出す時、外部からのホコリの流入及び汚染を防止できる。
【００１５】
第三に、多重シャッターを使用することにより、ディスクカートリッジのサイズを大きくせずに、開口部を開放できる。
【００１６】
第四に、多重シャッターは、ディスクカートリッジがディスクドライブに挿入される方向の逆方向に摺動されて開き、開口部上に位置しないため、再生及び記録装置の構成を自由にでき、装置の薄型化に有利である。
【００１７】
第五に、ディスクカートリッジの前面をラウンド形状にして不要な空間を減らしうるため、部品構成に有利である。
【課題を解決するための手段】
【００１８】
前記目的を達成するために、本発明であるディスクカートリッジは、情報記録媒体である光ディスクが収納される空間部が形成されている下部ケース部材と、前記下部ケース部材と結合されるように設置されて、前記光ディスクに再生及び記録装置がアクセスできる開口部が設けられている上部ケース部材と、前記下部ケース部材に摺動自在に設置されて、ディスクカートリッジがディスクドライブ装置に挿入される方向と逆方向に移動して、互いに重なりつつ前記開口部を露出させる多重シャッター部材と、前記下部ケースに設置されて、前記多重シャッター部材が任意に動けないように前記多重シャッター部材を固定させるロッキング部材とを備える。
【００１９】
情報記録媒体の光ディスクが収納される空間部が形成されている下部ケース部材と、前記下部ケース部材と結合されるように設置されて、前記光ディスクに再生及び記録装置がアクセスできる開口部が設けられている上部ケース部材と、前記上部ケース部材及び下部ケース部材を取り囲んで摺動自在に設置されて、前記ディスクカートリッジがディスクドライブ装置に挿入される方向と逆方向に移動して、互いに重なりつつ前記開口部を露出させる多重シャッター部材と、前記下部ケース部材に摺動自在に設置されて、前記多重シャッター部材が任意に動けないように前記多重シャッター部材を固定させるロッキング部材とを備える。
【発明を実施するための最良の形態】
【００２０】
図２及び図３に示すように、ディスクカートリッジ２００は、上部ケース部材２２２、下部ケース部材２２３、多重シャッター部材２３０、ロッキング部材２４０及び弾性部材２５０から構成されている。
【００２１】
下部ケース２２３は、中央に情報記録媒体である光ディスクＤが収納される空間部２１１が形成されており、一側部には、ロッキング部材２４０が設置されるロッカー溝２２４が形成されている。下部ケース部材２２３の前面部、すなわち、ディスクカートリッジ２００がディスクドライブ装置（図示せず）に挿入される方向には、再生及び記録装置（図示せず）がアクセスできるように陥没されて形成されたアクセス部２２９が設けられている。
【００２２】
下部ケース部材２２３の背面部には、ディスクカートリッジ２００がディスクドライブ装置（図示せず）に出入りする時、弾性部材２５０が摺動されるように案内する複数の移送ガイド溝２２５が形成されている。移送ガイド溝２２５については、弾性部材２５０と共に後述する。
【００２３】
上部ケース部材２２２は、下部ケース部材２２３に結合されて、光ディスクＤを取り囲むことで、前記再生及び記録装置（図示せず）が前記光ディスクＤにアクセスできるように開口部２２１が形成されている。
【００２４】
第１実施例において前記再生及び記録装置（図示せず）は、前記光ディスクＤが一方面のみに情報が保存されており、下部ケース部材２２３にアクセスする必要がないため、開口部が別途に形成されていない。上部ケース部材２２２は、下部ケース部材２２３に摺動自在に設置されることが好ましい。
【００２５】
開口部２２１は、前記光ディスクＤを回転させるためのスピンドルモーター（図示せず）及び前記光ディスクＤに保存された情報を再生するか、または前記光ディスクＤに情報を保存する再生及び記録装置（図示せず）が何れもアクセスできるように広く形成されている。
【００２６】
多重シャッター部材２３０は、下部ケース部材２２３に摺動自在に設置されて、開口部２２１を選択的に開閉させる。下部ケース部材２２３の両側面には、多重シャッター部材２３０が摺動自在に案内されるガイドレール部２２６がそれぞれ形成されており、それに対応して多重シャッター部材２３０の両側面には、ガイドレール部２２６に沿って摺動自在にガイドリブ２３３がそれぞれ形成されている。ガイドリブ２３３はガイドレール部２２６を取り囲みつつ摺動されるため、多重シャッター部材２３０は、下部ケース部材２２３に摺動される。
【００２７】
また、多重シャッター部材２３０は、少なくとも２つ以上が互いに重なるように構成されている。ディスクカートリッジ２００の前部、すなわち、ディスクカートリッジ２００が前記ディスクドライブ装置（図示せず）に挿入される方向に設置されているものから順に第１シャッター２３１、第２シャッター２３２とする時、第１シャッター２３１は、第２シャッター２３２に挿入されて重なるように構成されている。したがって、第１シャッター２３１の幅は、第２シャッター２３２の幅よりは狭いことが好ましい。もちろん、第２シャッター２３２が第１シャッター２３１に挿入されて重なるように構成されてもよい。
【００２８】
第１シャッター２３１の上面には、第１シャッター２３１の運動を拘束するための突出部２３４が設けられている。突出部２３４は、ディスクカートリッジ２００が前記ディスクドライブ装置（図示せず）に挿入される時、第１シャッター２３１を相対的に動けないようにして開口部２２１を露出させる。
【００２９】
第２シャッター２３２には、突出部２３４に対応して、第１シャッター２３１が第２シャッター２３２に重なることを妨害しないために、突出部２３４が挿入される挿入溝部２３５が形成されている。したがって、第１シャッター２３１が第２シャッター２３２と重なれば、突出部２３４は挿入溝部２３５に挿入される。
【００３０】
一方、第１シャッター２３１の背面、すなわち、第２シャッター２３２に対向する面には、ディスクカートリッジ２００が前記ディスクドライブ装置（図示せず）から抽出された時、挿入溝部２３５を塞いで、ホコリ等の異物が前記光ディスクＤ面に付かないように遮断するための遮蔽部２３６が設けられている。
【００３１】
突出部２３４、遮蔽部２３６及び挿入溝部２３５は、互いに一直線上に位置すればよく、第１シャッター２３１及び第２シャッター２３２に設けられる位置は関係ない。
【００３２】
ロッキング部材２４０は、多重シャッター部材２３０が任意に摺動されることを防止するために、多重シャッター部材２３０をロックする装置である。もし、多重シャッター部材２３０ロックしないと、多重シャッター部材２３０が外部の力によって任意に開き、開口部２２１が外部に露出されつつ、前記光ディスクＤにホコリ等の異物が流入するか、または情報記録面が損傷しうるため、それを防止するためである。
【００３３】
ロッキング部材２４０は、ロッカー２４１及び板バネ２４６から構成されている。下部ケース部材２２３の一側部には、ロッキング部材２４０が設置されるように陥没されて、ロッカー溝２２４が形成されている。
【００３４】
ロッカー２４１は、ロッカー溝２２４に設けられているロッカー移送ガイド部２２４ａに案内されて、摺動自在に設置されているものであって、本体２４２から所定間隔離れて突出して設けられたプッシュ部２４３及び第１シャッター係合部２４４からなっている。
【００３５】
プッシュ部２４３は、前記ディスクドライブ装置（図示せず）に設置されるロッキング解除部３００（図４参照）と選択的に接触する部分である。第１シャッター係合部２４４は、第１シャッター２３１の側面に形成されている第１ロッキング溝２３７に挿入されてかかる部分である。
【００３６】
板バネ２４６は、ロッカー２４１とその本体部２４７とが接触するように設置されており、その一端は、下部ケース部材２２３に固設され、その他端には、第２シャッター２３２の側面に形成されている第２ロッキング溝２３８に挿入されてかかる第２シャッター係合部２４８が設けられている。板バネ２４６は、それ自体が弾性体であり、ロッカー２４１をロッカー溝２２４から外側に押している。前記第１実施例で、板バネ２４６がロッカー２４１と接触する部分が凸状に形成されているが、必ずしも凸状である必要はなく、同じ機能を行う他の変形例が適用されうる。
【００３７】
したがって、ディスクカートリッジ２００がディスクドライブに挿入されていない時、すなわち、第１シャッター２３１及び第２シャッター２３２が閉められている時、ロッカー２４１の第１シャッター係合部２４４と、板バネ２４６の第２シャッター係合部２４８とは、それぞれ第１ロッキング溝２３７及び第２ロッキング溝２３８に挿入されて閉められる。
【００３８】
弾性部材２５０は、ディスクカートリッジ２００が前記ディスクドライブ装置（図示せず）から抽出される時、第２シャッター２３２をディスクカートリッジ２００が抽出される方向に押して、元の位置に戻すものである。
【００３９】
弾性部材２５０は、コイル状に巻かれて形成された本体２５１と前記本体から長く延びた第１リード２５２及び第２リード２５３から構成されている。本体２５１は、移送ガイド溝２２５内に設置され、第１リード２５２は、下部ケース部材２２３に支持されており、第２リード２５３は、第２シャッター２３２のガイドリブ２３３に支持されている。
【００４０】
したがって、ディスクカートリッジ２００が前記ディスクドライブ装置（図示せず）に挿入される時、第２シャッター２３２が摺動されつつ、弾性部材２５０は圧縮されるため、本体２５１は、移送ガイド溝２２５に沿って摺動される。
【００４１】
一方、第１リード２５２が支持されている下部ケース部材２２３には、弾性部材２５０が圧縮される時、第１リード２５２の回動を妨害しないように陥没されて、移送案内部２２７が移送ガイド溝２２５に隣接して扇形に形成されている。
【００４２】
ディスクカートリッジ２００は、前記ディスクドライブ装置（図示せず）に挿入される方向の形状は、ラウンド形状に設けられている。これは、直線形状に比べて不要な空間を節約して、部品の配置を効率的にするためである。
【００４３】
下部ケース部材２２３の両側面には、ディスクカートリッジ２００が前記ディスクドライブ装置（図示せず）に挿入されて、安定的に位置を設定させるための位置固定溝２２８が形成されている。位置固定溝２２８には、前記ディスクドライブ装置（図示せず）に設置されている位置固定装置の位置固定突起部（図示せず）が挿入されて、ディスクカートリッジ２００を前記ディスクドライブ装置（図示せず）に安定的に固定させる。前記位置固定装置（図示せず）は、弾性部材（図示せず）を備え、ディスクカートリッジ２００が前記ディスクドライブ装置（図示せず）に挿入される時に付勢され、ディスクカートリッジ２００が抽出される時にディスクカートリッジ２００を前記ディスクドライブ装置（図示せず）から押し出す。
【００４４】
前記のように構成される本発明の第１実施例に係るディスクカートリッジの動作を、図面を参照して説明する。
【００４５】
まず、ディスクカートリッジ２００が前記ディスクドライブ装置（図示せず）に挿入される動作を説明する。
【００４６】
本発明の第１実施例に係るディスクカートリッジ２００は、図２に示すように、第１シャッター２３１及び第２シャッター２３２が開口部２２１を覆って、前記光ディスクＤは、外部から遮断されてホコリ等の異物が挿入されることが防止される。この時、第１シャッター係合部２４４及び第２シャッター係合部２４８は、第１ロッキング溝２３７及び第２ロッキング溝２３８に挿入されて挟まれているため、第１シャッター２３１及び第２シャッター２３２は、外部力によって任意に動くことが規制される。
【００４７】
図４及び図５に示すように、ユーザーがディスクカートリッジ２００を前記ディスクドライブ装置（図示せず）に挿入すれば、突出部２３４は前記ディスクドライブ装置（図示せず）内に設置されたロッキング解除部３００がロッカー２４１のプッシュ部２４３と接触するため、図５に示すように、ロッカー２４１は、ロッカー移送ガイド部２２４ａに沿って案内されつつ、矢印方向に摺動される。それにより、第１シャッター係合部２４４は、第１ロッキング溝２３７から離脱されるため、第１シャッター２３１は、第１ロッキング溝２３７の規制から放される。
【００４８】
一方、ロッカー２４１が矢印方向に摺動されつつ、ロッカー２４１は、板バネ２４６の本体２４７を矢印方向に押す。それにより、板バネ２４６は、下部ケース部材２２３に固定されている一端部を中心に回動して、図面に対して反時計回り方向に回動される。したがって、第２シャッター係合部２４８は、第２ロッキング溝２３８から離脱されるため、第２シャッター２３２は、第２ロッキング溝２３８の規制から放される。
【００４９】
すなわち、ロッキング解除部３００によってロッカー２４１が摺動されると共に、板バネ２４６も摺動されるため、第１シャッター係合部２４４と第２シャッター係合部２４８は、それぞれ第１ロッキング溝２３７及び第２ロッキング溝２３８からほぼ同時に離脱される。
【００５０】
このような状態で、図８に示すように、ディスクカートリッジ２００が前記ディスクドライブ装置（図示せず）内に挿入され続ければ、前記ディスクドライブ装置（図示せず）に設置された阻止部材３１０によって、突出部２３４が前記ディスクドライブ装置（図示せず）内に進むことが阻止される。
【００５１】
ディスクカートリッジ２００は、前記ディスクドライブ装置（図示せず）内に挿入され続けるが、突出部２３４は、阻止部材３１０によって移動することが阻止されるため、第１シャッター２３１は、相対的にディスクカートリッジ２００が前記ディスクドライブ装置（図示せず）内に挿入される方向の逆方向に摺動される。
【００５２】
図９に示すように、第１シャッター２３１が摺動されて、突出部２３４が挿入溝部２３５（図３参照）に挿入されれば、前記ディスクドライブ装置（図示せず）内に設置されている干渉部３２０によって、第２シャッター２３２が進むことが阻止される。したがって、第１シャッター２３１及び第２シャッター２３２は、相対的にディスクカートリッジ２００がディスクドライブ装置（図示せず）内に挿入される方向の逆方向に摺動される。
【００５３】
図１０に示すように、第１シャッター２３１及び第２シャッター２３２は、阻止部材３１０及び干渉部３２０に摺動されることが阻止されるため、開口部（図２参照）２２１は外部に露出される。
【００５４】
一方、弾性部材２５０は、図６に示すように、第１シャッター２３１及び第２シャッター２３２が開口部２２１を閉めている状態で圧縮されていない状態にある。
【００５５】
図７に示すように、ディスクカートリッジ２００が前記ディスクドライブ装置（図示せず）内に挿入される方向の逆方向に摺動されつつ、第２シャッター２３２が矢印方向に移動しつつ、弾性部材２５０は圧縮され、本体２５１は移送ガイド溝２２５に沿って摺動される。
【００５６】
ディスクカートリッジ２００が前記ディスクドライブ装置（図示せず）内に完全に挿入されれば、前記位置固定突起部（図示せず）に位置固定溝２２８が挿入されて固定される。
【００５７】
逆に、ディスクカートリッジ２００が前記ディスクドライブ装置（図示せず）から抽出される動作を説明する。
【００５８】
前記ディスクカートリッジ２００が前記ディスクドライブ装置（図示せず）に挿入された状態で、前記位置固定装置（図示せず）に設けられた弾性手段（図示せず）の弾性力によってディスクカートリッジ２００が外部に押し出されれば、前記位置固定突起部（図示せず）は、位置固定溝２２８から離脱される。この時、前記弾性手段（図示せず）の弾性力によって、第２シャッター２３２は、元の位置に戻りつつ、ディスクカートリッジ２００は、前記ディスクドライブ装置（図示せず）からある程度離脱される。次いで、ユーザーがディスクカートリッジ２００を前記ディスクドライブ装置（図示せず）の外側に取り出せば、突出部２３４は、前記阻止部材（図示せず）に阻止されている状態でディスクカートリッジ２００が抽出されるため、第１シャッター２３１は、開口部２２１を覆う。
【００５９】
ディスクカートリッジ２００が前記ディスクドライブ装置（図示せず）から完全に抽出されれば、第１シャッター係合部２４４は、第１ロッキング溝２３７にかかり、第２シャッター係合部２４８は、第２ロッキング溝２３８にかかるため、図２に示すような状態となる。
【００６０】
図１１は、本発明の好ましい第２実施例に係るディスクカートリッジを示す分離斜視図である。同じ参照符号は、同じ機能を行う同一部材を表す。
【００６１】
図１１に示すように、本発明の好ましい第２実施例に係るディスクカートリッジ４００は、上部ケース部材４２２、下部ケース部材４２３、多重シャッター部材４３０、ロッキング部材４４０及び弾性部材４５０から構成されている。
【００６２】
下部ケース部材４２３は、中央に情報記録媒体の光ディスクＤが収納される空間部４１１が形成されており、前記再生及び記録装置（図示せず）が前記光ディスクＤにアクセスできるように、開口部４２１が形成されている。
【００６３】
下部ケース部材４２３の一側部には、ロッキング部材４４０が設置されるロッカー溝４２４が形成されている。下部ケース部材４２３の前面部、すなわち、ディスクカートリッジ４００がディスクドライブ装置（図示せず）に挿入される方向には、再生及び記録装置（図示せず）がアクセスできるように陥没されて形成されたアクセス部４２９が両面にそれぞれ設けられている。
【００６４】
下部ケース部材４２３の背面部には、ディスクカートリッジ４００がディスクドライブ装置（図示せず）に出入りする時、弾性部材４５０が摺動されるように案内する複数の移送ガイド溝４２５が形成されている。移送ガイド溝４２５については、弾性部材４５０と共に後述する。
【００６５】
上部ケース部材４２２は、下部ケース部材４２３と結合されて、前記光ディスクＤを取り囲むものであって、前記再生及び記録装置（図示せず）が前記光ディスクＤにアクセスできるように開口部４２１が形成されている。
【００６６】
第２実施例で、前記光ディスクＤの両面には情報が保存されており、下部ケース４２３にも前記再生及び記録装置（図示せず）がアクセスする必要があるため、開口部４２１が形成されている。
【００６７】
開口部４２１は、前記光ディスクＤを回転させるためのスピンドルモーター（図示せず）、及び前記光ディスクＤに保存された情報を再生するか、または前記光ディスクＤに情報を保存する再生及び記録装置（図示せず）が何れもアクセスできるように広い空間に形成されている。
【００６８】
多重シャッター部材４３０は、上部ケース部材４２２及び下部ケース部材４２３を取り囲みつつ摺動自在に設置されて、開口部４２１を選択的に開閉させる。
【００６９】
また、多重シャッター部材４３０は、少なくとも２つ以上が互いに重なるように構成されている。ディスクカートリッジ４００の前部、すなわち、ディスクカートリッジ４００が前記ディスクドライブ装置（図示せず）に挿入される方向に設置されているものから順に第１シャッター４３１、第２シャッター４３２とすれば、第１シャッター４３１は、第２シャッター４３２に挿入されつつ重なるように構成されることが好ましい。したがって、第１シャッター４３１の幅は、第２シャッター４３２の幅よりは狭いことが好ましい。もちろん、第２シャッター４３２が第１シャッター４３１に挿入されつつ重なるように構成しても良い。
【００７０】
第１シャッター４３１の上面及び下面には、第１シャッター４３１の運動を拘束するための突出部４３４が対称にそれぞれ設けられている。突出部４３４は、ディスクカートリッジ４００が前記ディスクドライブ装置（図示せず）に挿入される時、第１シャッター４３１を相対的に動けないようにして開口部４２１を露出させる。
【００７１】
第２シャッター４３２の上面及び下面には、突出部４３４に対応して第１シャッター４３１が第２シャッター４３２と重なることを妨害しないように、突出部４３４が挿入される挿入溝部４３５がそれぞれ形成されている。したがって、第１シャッター４３１が第２シャッター４３２と重なれば、突出部４３４は挿入溝部４３５に挿入される。
【００７２】
一方、第１シャッター４３１の背面、すなわち、第２シャッター４３２に対向する面の上面及び下面には、ディスクカートリッジ４００が前記ディスクドライブ装置（図示せず）から抽出された時、挿入溝部４３５を防止して、ホコリなどの異物が前記光ディスクＤ面に付かないように遮断するための遮蔽部４３６がそれぞれ設けられている。
【００７３】
前記ロッキング部材及び弾性部材は、前記第１実施例と同じであるため、それについての説明は省略する。
【００７４】
前記第２実施例による前記多重シャッター部材４３０の動作は、前記第１実施例と同じであるため、それについての説明も省略する。
【産業上の利用可能性】
【００７５】
本発明は、前記問題点に鑑みてなされたものであって、光ピックアップだけでなく、スイングアーム方式を利用しても光ディスクを再生または／及び記録できるように、互換性のあるディスクカートリッジを提供するところにその目的がある。
【００７６】
前記では、本発明の好ましい実施例を参照して説明したが、当業者ならば、特許請求の範囲に記載された本発明の思想及び領域から逸脱しない範囲内で、本発明を多様に修正及び変更させうるということを理解できるであろう。
【図面の簡単な説明】
【００７７】
【図１】従来のディスクカートリッジの一例を示す斜視図である。
【図２】本発明の好ましい第１実施例に係るディスクカートリッジを示す斜視図である。
【図３】図２に示すディスクカートリッジの分離斜視図である。
【図４】図２に示すロッキング部材の動作を説明するための一部切開斜視図である。
【図５】図２に示すロッキング部材の動作を説明するための一部切開斜視図である。
【図６】図２に示す弾性部材の動作を説明するための平面図である。
【図７】図２に示す弾性部材の動作を説明するための平面図である。
【図８】図１に示す第１シャッターが開かれる動作を説明するための側面図である。
【図９】図２に示す第１シャッター及び第２シャッターが開かれる動作を説明するための側面図である。
【図１０】図２に示す第１シャッター及び第２シャッターが完全に開かれた状態を示す側面図である。
【図１１】本発明の好ましい第２実施例に係るディスクカートリッジを示す分離斜視図である。
【図１】
2007520838.tif 000003
【図２】
2007520838.tif 000004
【図３】
2007520838.tif 000005
【図４】
2007520838.tif 000006
【図５】
2007520838.tif 000007
【図６】
2007520838.tif 000008
【図７】
2007520838.tif 000009
【図８】
2007520838.tif 000010
【図９】
2007520838.tif 000011
【図１０】
2007520838.tif 000012
【図１１】
2007520838.tif 000013
【国際調査報告】
2007520838.tif 000014